(57)【要約】  本発明はデータファイルと、そのデータファイルを含む論理アセット間の関連性を表示するシステムと方法を提供する。本発明の一態様による方法は、論理アセットの表示のユーザ選択時に、データファイルと論理アセットとの間の関連性を決定する段階と、論理アセットに関連するデータファイルのリストを表示する段階とを含む。反対に、本方法は、データファイルに関連する論理アセットの決定時に、ユーザ選択されたデータファイルに関連する論理アセットのリストを表示する段階を含み得る。さらに、本方法の他の態様では、論理アセット関連ビューと物理アセット関連ビューとの間の双方向ナビゲーションを可能とする。
2010524120.tif 000002
【特許請求の範囲】
【請求項１】
第１の論理アセットに関連する少なくとも１つのデータファイルを含む前記第１の論理アセットを特定する段階と、
ユーザ要求に応じて、前記第１の論理アセットに関連するデータファイルのリストを生成して表示する、生成する段階とを含む方法。
【請求項２】
アクティブにされ前記第１の論理アセットに関連する少なくとも１つのデータファイルを含む、前記第１の論理アセットの表示のディスプレイを生成する段階と、
前記第１の論理アセットに関連するデータファイルのリストを表示する第１のオプションをユーザに与える段階と、
前記第１のオプションのユーザ選択に応じて、どのデータファイルが前記第１の論理アセットに関連しているか決定する段階と、
前記第１の論理アセットに関連するデータファイルを表示するように、前記データファイルのリストを含む第１の関連ビューを生成する段階とを含む、請求項１に記載の方法。
【請求項３】
さらに、
前記少なくとも１つのデータファイル中のデータファイルを選択する、ユーザが選択したデータファイルを含む論理アセットのリストをアクティブになった形式で表示する第２のオプションを表示する段階と、
前記第２のオプションのユーザ選択に応じて、どの論理アセットが前記ユーザが選択したデータファイルをアクティブな形式で含むか決定する段階と、
前記ユーザが選択したデータファイルに関連する論理アセットが表示されるように、前記ユーザが選択したデータファイルに関連する少なくとも１つの論理アセットのリストを含む第２の関連ビューを生成する段階とを含む、請求項２に記載の方法。
【請求項４】
さらに、
ユーザコマンドに応じて、ユーザが選択したデータファイルの記憶媒体中の場所を示す前記ユーザが選択したデータファイルの表示を、階層的記憶構成内に表示する段階を含む、請求項３に記載の方法。
【請求項５】
さらに、
前記ユーザに検索語を指定するように促す段階と、
前記第１の論理アセットの表示を含む結果リストを生成する段階とを含む、請求項２に記載の方法。
【請求項６】
さらに、
前記第１の論理アセットに関連する最も容易にアクセス可能なデータファイルを前記第１の関連ビューに表示する段階を含む、請求項２に記載の方法。
【請求項７】
前記第１の論理アセットは関連する複数のデータファイルを含む構成である、請求項１に記載の方法。
【請求項８】
請求項１に記載の方法を用いるメディアコンテンツ素材アセット管理プロセス。
【請求項９】
前記第１のデータファイルに関連する少なくとも１つの論理アセットにアクティブな形式で含まれる第１のデータファイルを特定する段階と、
ユーザ要求に応じて、前記第１のデータファイルに関連する論理アセットのリストを生成して表示する、生成する段階とを含む方法。
【請求項１０】
さらに、
前記第１のデータファイルに関連する少なくとも１つの論理アセットにアクティブな形式で含まれる第１のデータファイルの表示のディスプレイを生成する段階と、
前記第１のデータファイルに関連する論理アセットのリストを表示する第１のオプションを与える段階と、
前記第１のオプションのユーザ選択に応じて、どの論理アセットが前記第１のデータファイルに関連しているか決定する段階と、
前記第１のデータファイルに関連する論理アセットを表示するように、前記少なくとも１つの論理アセットのリストを含む第１の関連ビューを生成する段階とを含む、請求項９に記載の方法。
【請求項１１】
さらに、
ユーザコマンドに応じて、前記第１のデータファイルの記憶媒体中の場所を示す前記第１のデータファイルの表示を、階層的記憶構成内に表示する段階を含む、請求項１０に記載の方法。
【請求項１２】
さらに、
前記少なくとも１つの論理アセット中の論理アセットを選択する、ユーザが選択した論理アセットにアクティブな形式で含まれるデータファイルのリストを表示する第２のオプションを表示する段階と、
前記第２のオプションのユーザ選択に応じて、どのデータファイルが前記ユーザが選択した論理アセットにアクティブな形式で含まれるか決定する段階と、
前記ユーザが選択した論理アセットに関連するデータファイルが表示されるように、前記ユーザが選択した論理アセットに関連する少なくとも１つのデータファイルのリストを含む第２の関連ビューを生成する段階とを含む、請求項１０に記載の方法。
【請求項１３】
さらに、
前記ユーザが選択した論理アセットに関連する最も容易にアクセス可能なデータファイルを前記第２の関連ビューに表示する段階を含む、請求項１２に記載の方法。
【請求項１４】
さらに、
前記ユーザに検索語を指定するように促す段階と、
前記第１のデータファイルの表示を含む結果リストを生成する段階とを含む、請求項１０に記載の方法。
【請求項１５】
さらに、
関連する複数のデータファイルを含むように前記第１の論理アセットを構成する段階を含む、請求項９に記載の方法。
【請求項１６】
請求項９に記載の方法を用いるメディアコンテンツ素材アセット管理プロセス。
【請求項１７】
第１の論理アセットに関連する少なくとも１つのデータファイルを含む前記第１の論理アセットを特定する手段と、
ユーザ要求に応じて、前記第１の論理アセットに関連するデータファイルのリストを生成して表示する、生成する手段とを含むシステム。
【請求項１８】
さらに、
第１のユーザ要求に応じて、どのアセットが前記第１の論理アセットに関連するか決定した時に表示されるよう構成された第１の関連ビューを生成する手段を含み、前記第１の関連ビューは：
第１のアセットのリストと、
前記第１のアセットに関連するアセットを含む、前記第１のアセットに関連する少なくとも１つの他のアセットのリストとを含む、請求項１７に記載のシステム。
【請求項１９】
前記第１のアセットは論理アセットであり、前記第１のアセットに関連する少なくとも１つの他のアセットは前記第１のアセットにアクティブな形式で含まれる少なくとも１つの物理アセットである、請求項１８に記載のシステム。
【請求項２０】
前記第１のアセットに関連する前記少なくとも１つの他のアセットは前記第１のアセットに関連する少なくとも１つの論理アセットであり、前記第１のアセットは前記第１のアセットに関連する前記少なくとも１つの他のアセットにアクティブな形式で含まれる物理アセットである、請求項１８に記載のシステム。
【請求項２１】
さらに、
第２のユーザ要求に応じて、前記第１の関連ビューから第２のアセットがユーザ選択され、どのアセットが前記第２のアセットに関連するか決定した時に表示されるよう構成された第２の関連ビューを生成する手段を含み、前記第２の関連ビューは：
第２のアセットのリストと、
前記第２のアセットに関連するアセットを含む、前記第２のアセットに関連する少なくとも１つの他のアセットのリストとを含む、請求項１８に記載のシステム。
【請求項２２】
前記第２のアセットに関連する前記少なくとも１つの他のアセットは前記第２のアセットに関連する少なくとも１つの論理アセットであり、前記第２のアセットは前記第２のアセットに関連する前記少なくとも１つの他のアセットにアクティブな形式で含まれる物理アセットである、請求項２１に記載のシステム。
【請求項２３】
前記第２のアセットは論理アセットであり、前記第２のアセットに関連する少なくとも１つの他のアセットは前記第２のアセットにアクティブな形式で含まれる少なくとも１つの物理アセットである、請求項２１に記載のシステム。
【請求項２４】
さらに、
階層的記憶構成内に記憶媒体における前記第２のアセットの場所を示す前記第２のアセットの表示を含み、前記第１の関連ビュー内の前記第２のアセットのユーザ選択時に表示されるよう構成され、前記第２のアセットの表示のユーザ選択時に前記第２の関連ビューのアクティブ化を可能にするよう構成された探索ビューを含む、請求項２１に記載のシステム。
【請求項２５】
さらに、
ユーザが検索語を指定することにより物理アセットと論理アセットの両方を検索できるように構成された検索ビューを生成する手段と、
指定した検索語によりアセットを検索するユーザコマンドに対して表示されるように構成された、第１のアセットの表示を含む結果リストを生成する手段とを含む、請求項１７に記載のシステム。
【請求項２６】
請求項１７に記載のシステムを用いるメディアコンテンツ素材アセット管理システム。
【発明の詳細な説明】
【技術分野】
【０００１】
本発明は、記憶媒体に記憶されたデータファイルのプレゼンテーションに関し、より具体的には、グラフィカルユーザインタフェースにおけるデータファイルの関連性（associations）を表示するシステム及び方法に関する。
【背景技術】
【０００２】
コンピューティングシステムのデータ記憶メカニズムをユーザがナビゲート（navigate）する一般的な方法では、組織構造とデータファイルが記憶されている場所を示すフォルダ及びサブフォルダの階層を提示（present）する。あるフォルダを選択すると、サブフォルダと実行可能ファイルがユーザに提示（present）される。ユーザはこれにより記憶媒体中のファイルの場所を決定できる。ユーザがファイルの場所を特定する他の手段としては、検索機能の利用がある。ユーザはファイル名、ファイル中のテキスト等に関する検索語を指示する。検索コマンドに応じて、既知のシステムが結果リストを返す。結果リストは、多くの場合、ファイル名、そのファイルの記憶媒体における場所、大きさ、種類、及びファイルのその他の特徴を示すものである。
【０００３】
ソフトウェアアプリケーションによっては、データファイルを他のデータファイルと関連付けて利用するものがある。例えば、インターネットブラウザアプリケーションは、ウェブページファイルのテキストの表示中に画像ファイルを組み込むことにより、ウェブページファイルを画像ファイルと関連付ける場合がある。さらに、場合によっては、１つのファイルが２以上のファイルと関連付けられることもある。例えば、複数のウェブページファイルが、データ記憶媒体の別の場所に記憶された１つの画像ファイルを参照する場合もある。これらのファイルの各々の場所は、上記の通り、既知のナビゲーション（navigation）方法で決定し、表示する。
【発明の概要】
【発明が解決しようとする課題】
【０００４】
上記の先行技術によるシステムは、１つのユーザインタフェース内で、データファイルの関連性と、関連づけられたデータファイルのそれぞれの場所を表示しない。さらに、先行技術によるシステムは、ユーザインタフェース内のデータ構成と、関連データファイルとの間の便利で効率的な双方向ナビゲーション能力を提供していない。
【０００５】
ここで、データ構成とは、アクティブにされたデータファイルを含む合成ディスプレイまたは一連のディスプレイである。例えば、上記のインターネットブラウザアプリケーションの例では、ウェブページのディスプレイはHTMLファイルなどのテキストウェブページファイルと、画像ファイルとを含む。ウェブページテキストファイルと画像ファイルはデータ記憶媒体の別の場所に記憶されているが、インターネットブラウザアプリケーションは両方のファイルをアクティブにし、すなわち「開き」、ユーザインタフェース上にアクティブにした両方のデータファイルを含む合成ディスプレイを形成する。
【課題を解決するための手段】
【０００６】
本発明は、１つのユーザインタフェースにおいて、データ構成を伴う複数のデータファイルを提示及び表示するシステム及び方法を提供する。また、本発明により、ユーザは、データファイルと関連データ構成を双方向にナビゲート（navigate）できる。これらの機能により、ユーザは、関連データファイルを編集、移動、または削除することにより影響を受けるデータ構成を決定できる。
【０００７】
本発明の一態様は、ユーザインタフェースのデータ構成の関連性を表示する方法を含む。該方法は、論理アセットの表示のディスプレイを生成する段階と、関連するデータファイルのリストを表示するオプションをユーザに与える段階と、論理アセットに関連するデータファイルのリストのディスプレイを生成する段階とを含む。本発明の別の実施形態は、さらに、データファイルリスト内に、データファイルに関連する論理アセットのリストを表示するオプションをユーザに与える段階と、そのデータファイルに関連する論理アセットのリストを表示する段階とを含む。
【０００８】
本発明の他の一態様は、ユーザインタフェースのデータファイルの関連性を表示する方法を含む。該方法は、データファイルの表示のディスプレイを生成する段階と、関連する論理アセットのリストを表示するオプションをユーザに与える段階と、データファイルに関連する論理アセットのリストのディスプレイを生成する段階とを含む。本発明の別の実施形態は、さらに、論理アセットリスト内に、論理アセットに関連するデータファイルのリストを表示するオプションをユーザに与える段階と、その論理アセットに関連するデータファイルのリストを表示する段階とを含む。
【０００９】
本発明の一態様によるデータファイルとデータ構成間の関連性を表示するシステムは、第１のアセットに関連するアセットのリストを含む第１の関連ビューを含む。さらに、本発明の他の一態様によると、上記システムは、さらに、第１の関連ビューにリストされた第２のアセットのユーザ選択時に表示されるよう構成され、第２のアセットに関連するアセットのリストを含む第２の関連ビューを含んでもよい。
【００１０】
実施形態の詳細は添付した図面と以下の説明に記載されている。実施形態は、１つの具体的な態様で説明したが、様々な態様が可能であることは言うまでもない。例えば、実施形態は方法として実行しても、一組の動作を実行するように構成された装置として、または一組の動作を実行する命令を記憶した装置として実施してもよい。  本発明の他の態様及び特徴は、添付した図面と請求項を参照して以下の詳細な説明を読めば明らかとなるであろう。
【図面の簡単な説明】
【００１１】
添付した図面を参照して以下の詳細な説明を検討することにより、本発明の教示を容易に理解できる。
【図１】１つのユーザインタフェース内において、データファイルとデータ構成との間の関連性を表示し、データファイルとデータ構成とをユーザに双方向ナビゲートさせる方法例を示すフロー図である。
【図２】検索語を指定することによりユーザにデータファイルとデータ構成を検索させる、検索ビューの一例を示す図である。
【図３】ユーザが指定した検索語により表示される検索結果リストの一例を示す図である。ユーザはこの検索結果リストから本発明の一実施形態による関連ビューの表示をさせられる。
【図４】指定されたデータ構成と関連付けられたデータファイルを示す、論理的関連ビューの一例を示す図である。
【図５】データファイルタイプとそのデータファイルがオンラインかどうか示す、論理的アセット関連ビュー内の最も容易にアクセス可能なデータファイルを表すタブの例を示す図である。
【図６】ユーザが記憶媒体をナビゲートする探索ビューの一例である。
【図７】論理アセット関連ビューを表示した際の物理アセット関連ビューと論理アセット関連ビューとの間の双方向ナビゲーション能力を示している、本発明によるシステムを示すフロー図である。
【図８】論理アセット関連ビューを表示した際の物理アセット関連ビューと論理アセット関連ビューとの間の双方向ナビゲーション能力を示している、本発明によるシステムを示すフロー図である。  言うまでもなく、図面は本発明のコンセプトを例示する目的のものであり、本発明を例示する構成は必ずしもこれだけではない。理解を容易にするために、複数の図面で共通な同一要素を示すためには同じ参照数字を用いた。
【発明を実施するための形態】
【００１２】
本発明は、１つのユーザインタフェース内に、データファイルの関連性と、関連づけられたデータファイルの場所とを提示及び表示するシステム及び方法を提供する。また、本発明の一態様により、ユーザは、データファイルと関連データ構成を双方向にナビゲートできる。上記の通り、データ構成はアクティブにされたデータファイルを含む合成ディスプレイまたは一連のディスプレイである。複数のユーザが異なるビューからアクセスしてシステムとインターラクトできる、ビデオ素材メディアアセット管理システムの場合における本発明の実施形態を説明する。しかし、言うまでもなく、本発明はいかなるタイプのデータ構成及び関連データファイルにも適用できる。
【００１３】
本発明の一態様では、ビデオ素材アセット管理システムは、物理アセットを他の情報と組み合わせて論理アセットを形成する。このシステム例では、物理アセットは、ビデオファイル、オーディオファイル、画像ファイル等を含むデータファイルである。さらに、このシステム例では、論理アセットは、一組のメタデータと物理アセットへの参照とを含むデータ構成である。また、論理アセットは、記憶場所には依存せず、同時に複数の物理アセットを表す。さらに、論理アセットを編集でき、あるいは論理アセットを利用してその下の物理アセットをその物理アセットの記憶場所を知らなくても編集、注釈、あるいは使用できる。
【００１４】
論理アセットの合成ディスプレイは、例えば、ａ）物理アセットビュアーと、ｂ）個別の各物理アセットに関する、ユーザが編集可能なメタデータと、ｃ）ユーザがそのメタデータを編集できるエディターとを含んでいてもよい。論理アセット内の物理アセットビュアーにより、ユーザは、アクティブにされた物理アセットを見ることができる。ここで「アクティブにされた」とは、物理アセット（データファイル）がユーザにより開かれ見ることができる状態である。例えば、物理アセットがビデオファイルである場合、ビデオファイルをメディアプレーヤで開いて、ビデオ画像とオーディオを出力（present）するようにした時にそのビデオファイルはアクティブにされる。ビデオファイルにより構成される物理アセットは、ビデオファイルを表すアイコンを表示するだけではアクティブにはならない。物理アセットをアクティブにすることにより、ユーザは、論理アセットに表示されるユーザが編集可能なメタデータ内に、物理アセットに関する詳細情報を組み込むことができる。
【００１５】
ユーザが編集可能なメタデータの例としては、関心を有するビデオ領域を他のユーザが見つけやすくするビデオフレーム上のマーカがある。他の例としては、編集決定リストがある。このリストでは、編集者は物理アセットのビデオフレームに注釈をつけて、物理アセットの編集を可能として、その編集者の指定に則った新しい物理アセットを形成する。上記の通り、論理アセットは、物理アセットに対応するメタデータの付加、削除、または編集をさせるメタデータエディタも含む。
【００１６】
論理アセットは、限定はされないが、ジャーナリスト、編集者、プロデューサ、公文書保管者に有用である。例えば、論理アセットは、ビデオファイルの絵コンテ表示、ビデオやオーディオファイルの低解像度バージョンを含み、ジャーナリストが注釈付きの記事を作成し、編集者がその記事の内容を承認または拒絶できる。さらに、論理アセットは、物理アセットの「より高いレベルのビュー」を提供するので、アーカイビングが容易になる。長さやフォーマット情報等の典型的な物理アセットメタデータは基本的かつ技術的であり、自動的に入力されることも多い。対照的に、上記の論理アセットは詳細かつ高度な注釈を含み、ユーザは記憶媒体に記録された物理アセットの検索を大幅に改善できる。
【００１７】
本発明の一実施形態により、ユーザは１つのユーザインタフェースで論理アセットと関連する物理アセットと、その記憶場所を効率的に見ることができる。逆に、上記実施形態により、ユーザは、１つのユーザインタフェースで物理アセットに関連する論理アセットを見ることもできる。ここで「関連する（associated）」とは、論理アセットの合成ディスプレイ内で上で定義したように「アクティブにされた」論理アセットと物理アセットとの間の関係を指す。関連ビューの表示はユーザにとって有益である。物理アセットに関連する論理アセットを知りたい場合があるからである。例えば、ジャーナリストは、ビデオクリップを削除するのに先立ち、他にどの論理アセットがそのビデオクリップを参照して利用しているか知りたいかも知れない。同様に、ジャーナリストは、見ている論理アセットの下にビデオクリップの物理的な記憶場所を知りたい場合もある。本発明の他の態様では、ユーザは、物理アセット関連ビューと論理アセット関連ビューとの間をユーザインタフェースにより双方向にナビゲーションすることができる。これについては以下により詳しく説明する。
【００１８】
図面を詳細に参照する。図面では、同じ参照数字は類似または同一の要素を示す。最初に図１を参照する。本発明の実施形態は、物理アセットと論理アセットの関連を表示する。本方法は、任意的に検索ビューを表示するところから始まる（ステップ１０２）。図２に検索ビューの例を示した。検索ビューは、例えばフィールド２０２と２０４において、発見したい物理アセットまたは論理アセットに関する検索語を入力するようユーザに指示する。また、フィールド２０６において、検索ビューは、検索するデータ記憶場所を入力するようユーザに指示する。データ記憶場所は分散したデータ記憶装置を含むものであってもよい。さらに、フィールド２０４において、検索ビューは、例えば論理アセットを返すか物理アセットを返すかユーザに入力させる。
【００１９】
本方法は、任意的に、論理アセット及び／または物理アセットを検索するユーザコマンドに応じて、ユーザの指定により実行した検索の結果を示す結果リストをユーザに提供する（ステップ１０４）。結果リストは、物理アセット及び／または論理アセットの表示を含む。本方法は、第１の論理アセットに関連する少なくとも１つのデータファイルを含む第１の論理アセットを特定する段階を含んでもよい。図３は、ユーザの指図により、論理アセットを検索した時に表示される結果リスト３００の例を示している。論理アセットの結果リストは、論理アセット名３０２、作成日３０４、情報源（source）３０６などのその論理アセットに関する情報を含む。また、論理アセットの結果リストは、発見した論理アセットの表示３０８を含んでもよい。同様に、本発明の一実施形態では、ユーザコマンドに応じて検索した物理アセットに対応する結果リストを表示することもできる。物理アセット結果リストは、使いやすくするために、論理アセット結果リストの表示と同様であってもよい。しかし、物理アセット結果リストは、物理アセット名や作成日などに加えて、これとは異なる、記憶場所やファイルタイプなどの情報を含んでもよい。
【００２０】
本発明の一実施形態による本方法は、結果リストを表示した後、ユーザが選択したアセットに対応する関連ビューを表示するオプションを表示してもよい。例えば、本方法により、ユーザは、結果リスト中のエントリーを選択して、結果リスト表示中の「関連」タブ（図示せず）を選択することにより、関連ビューをアクティブにできる。あるいは、ユーザは、結果リスト中のエントリーをハイライトして選択した時に、関連ビューをアクティブにするオプションを選択（例えばマウスを左クリック）して、関連ビューオプションを含むリストを表示できる。関連ビューを表示するユーザの指定に応じて、本発明の一態様による本方法は、選択したアセットに関連するアセットを決定する（ステップ１０８）。
【００２１】
例えば、図３に示したように、結果リストが論理アセット結果リストであり、ユーザが図３の最後のエントリーの関連ビューをアクティブにした場合、本発明の一実施形態では、その論理アセットを調べて、参照されている物理アセットを特定することにより、選択された論理アセットに関連する物理アセットを決定する。図４に示したように、選択された論理アセットに関連する物理アセットを決定する時、本方法は、選択された論理アセットの表示４３４と、その論理アセットの下の物理アセットのリスト４１２とを、セクション４３０と４０２にそれぞれ表示する関連ビューを提供する（ステップ１１０）。関連ビュー４００は、カラム４０４と４３２に論理アセットと物理アセットの名称をそれぞれ示し、カラム４１４に選択された論理アセットに関連する物理アセットのタイプを示し、カラム４２４に関連する物理アセットが記憶されている記憶メカニズムを示し、カラム４２６に物理アセットを利用する装置を示し、カラム４２８に関連する物理アセットの記憶場所のアドレスを示し、カラム４３６に選択された論理アセットの作成日を示し、カラム４３８に選択された論理アセットの情報源の識別情報を示している。図４に示したように、論理アセットに関連づけられる物理アセットのタイプには、例えば絵コンテプロキシ４１６、映画ファイル４１８、プロキシビデオ４２０、メタデータファイル４２２などがある。また、関連ビューは関連タブ４１０を含んでいてもよい。ユーザは、関連タブ４１０を選択して、ハイライトされた物理アセットまたは論理アセットの別の関連ビューを開く（initiate）ことができる。
【００２２】
本発明の一実施形態では、関連ビューは、選択された論理アセットに関連する物理アセットのうち最も容易に利用できるもの５０２を表示する。例えば、図４と図５に示したように、論理アセット関連ビューの左上隅の２つのタブ５０２は、Clip_７０のメディアメタフレームと、Ｍシリーズムービーが最も容易に利用できる物理アセットであることを示している。容易に利用できない物理アセットには、例えばアーカイブに格納された物理アセットがある。また、図５に示したように、関連ビューは、あるアセットがオンラインかオフラインか（５０６）、及びそのファイルタイプ５０４を示す。
【００２３】
言うまでもなく、論理アセット関連ビューの提供を参照して説明したのと同様に、ステップ１１０において、物理アセット関連ビューを提供することができる。例えば、ユーザは、上記のように、検索結果リストにある物理アセットをハイライトして、関連オプションを選択することにより関連ビューをアクティブにすることができる。本方法は、ステップ１０８において、論理アセットを検索して、選択された物理アセットを参照する論理アセットを特定することにより、どの論理アセットが、選択された物理アセットに関連するか決定する。あるいは、本方法は、物理アセットと関連する論理アセットを掲載した記憶されたアーカイブを参照することにより、選択された物理アセットに関連する論理アセットを決定する。物理アセット関連ビューは、選択された物理アセットと、それに関連する論理アセットとのリストを含んでいてもよい。さらに、既存の関連ビューや探索ビュー（explore view）により物理アセット関連ビューをアクティブにすることもできる。これについては以下に詳細に説明する。
【００２４】
第１のアセットに関連するデータファイルのリストを生成して表示し、論理アセットの関連性または物理アセットの関連性のいずれかの表示をしやすくしてもよい。本方法は、一実施形態では、ここで終了してもよい（ステップ１１２）。本発明の他の実施形態では、ユーザインタフェースが任意的に第２の関連ビューを表示して、論理アセットと物理アセットの双方向ナビゲーションをできるようにしてもよい。本実施形態によると、本方法は、既存の関連ビューの任意のエントリーに対応する関連ビューを物理アセット関連ビューであろうと論理アセット関連ビューであろうと生成してもよい。例えば、論理アセット関連ビューに表示されたいずれかの物理アセットをユーザが選択した時に、第２の関連ビューを表示してもよい。ユーザが関連ビューオプションを選択した時に第２の関連ビューを表示してもよい（ステップ１１４）。このオプションは、例えば、論理アセット関連ビューの物理アセットエントリーをハイライト後に表示されるマウスクリック時のオプションリストに含めてもよい。あるいは、図４に示したように、ユーザが論理アセット関連ビュー内の物理アセットをハイライトして、関連タブ４１０を選択した時に、第２の関連ビューを開いてもよい。選択した物理アセットに関連するアセットを決定する（ステップ１０８）時、本方法は、選択した物理アセット及び対応する論理アセットを含む第２の関連ビューを表示する（ステップ１１０）。反対に、本方法は、物理アセット関連ビュー内の論理アセットの関連ビューオプションのユーザ選択に応じて、同様に論理関連ビューを表示する。本方法は、終了するが（ステップ１１２）、前に表示した関連ビュー内の選択したアセットに対応する他の関連ビューをアクティブにすることを選択した場合は継続する（ステップ１１４）。
【００２５】
このように、本発明の一態様では、ユーザは、本方法により１つのユーザインタフェース内で物理アセットと論理アセットとの間の関連性を見ることができる。さらに、上記インタフェースは物理アセットと論理アセットの間の双方向ナビゲーションメカニズムを提供する。ユーザは論理アセット関連ウィンドウにリストされている物理アセットを選択することにより、物理アセット関連ウィンドウをアクティブにすることができる。反対に、ユーザは、上記インタフェースにより物理アセット関連ウィンドウ中の論理アセットを選択することにより、論理アセット関連ウィンドウをアクティブにすることができる。
【００２６】
本発明の他の態様では、ユーザインタフェースは探索ビューを任意的に表示できる。この探索ビューは、関連ビュー中の物理アセットエントリーをユーザが選択した時（ステップ１１６）、または検索結果リストの中の物理アセットエントリーをユーザが選択した時（ステップ１２０）にアクティブにされる。例えば、ユーザは、関連ビューまたは結果リストの中の物理アセットエントリーをハイライトして、探索ビューオプションを含むリストを表示することを選択（例えば、マウスを左クリック）し、探索ビューオプションを選択することができる。本方法は、物理アセットに対する探索ビューオプションのユーザ選択に応じて、その物理アセットの表示を含み記憶装置と記憶場所の階層中のその物理アセットの位置を示す探索ビューを表示してもよい。探索ビューの例６００を図６に示した。探索ビュー６００はローカルネットワーク６０４の表示を含んでいてもよい。ユーザは、ローカルネットワーク６０４を選択して記憶媒体６０８の表示を表示できる。ユーザは、探索ビューによりフォルダ６１２とサブフォルダ６１６をナビゲートして、その中に格納された物理アセットを見ることができる。また、ユーザは、探索ビューにより物理アセット等を削除、名称変更、転送することができる。
【００２７】
本発明の一実施形態では、ユーザインタフェースは、探索ビュー中の関連ビューオプションのユーザ選択時に、物理アセット関連ビューをアクティブにできる（ステップ１１８）。例えば、ユーザは、探索ビュー中の物理アセットをハイライトして、関連ビューオプションを含むオプションリストを表示できる。ユーザインタフェースは、関連ビューオプションのユーザ選択後、選択された物理アセット及び関連する論理アセットのリストを表示する物理アセット関連ビューを表示できる（ステップ１０８−１１０）。また、留意すべき点として、探索ビューは結果リストと関連ビューには依存せずに開くこと（initialize）ができる。
【００２８】
本発明の一態様によるシステム７００を図７に示した。本システムは、方法の実施形態に関する上記のビューを含む：論理アセットまたは物理アセットを検索する検索語を入力するようにユーザに促す任意的検索ビュー７０２；検索語のユーザ指定とその検索を実行するユーザコマンドに応じて特定された論理アセットのリストを含む任意的結果ビュー７０４；例えば、上記の通り、選択した論理アセットに関連する物理アセット７１４と、選択した論理アセット７１２とをリストし、ファイルタイプ７０８とオンラインインジケータ７１０を含む第１の関連ビュー７０６；物理アセットのユーザ選択に応じてアクティブにされ、その物理アセットの記憶場所を示す任意的探索ビュー７２２；上記の通り、論理アセット関連ビュー７０６または探索ビュー７２２内の物理アセットのユーザ選択に応じて表示され、例えば選択された物理アセットと関連する論理アセット７２０とその選択された物理アセット７１８とをリストし、ファイルタイプ７０７とオンラインインジケータ７０９とを含む任意的第２の関連ビュー７１６；及び上記の通り、物理アセット関連ビュー７１６内の物理アセットのユーザ選択に応じて表示され、例えばユーザが選択した論理アセットと関連する物理アセット７３２とそのユーザが選択した論理アセット７３０とをリストし、ファイルタイプ７２６とオンラインインジケータ７２８とを含む任意的第３の関連ビュー７２４。
【００２９】
本発明の一態様による他のシステム８００を図８に示す。本システムは方法の実施形態に関して上で説明したビューを含む：論理アセットまたは物理アセットを検索する検索語を入力するようにユーザに促す任意的検索ビュー８０２；検索語のユーザ指定とその検索を実行するユーザコマンドに応じて特定された物理アセットのリストを含む任意的結果ビュー８０４；例えば、選択した物理アセットに関連する論理アセット８２０と、選択した物理アセット８１８とをリストし、ファイルタイプ８０７とオンラインインジケータ８０９を含む第１の関連ビュー８１６；物理アセットのユーザ選択に応じてアクティブにされ、その物理アセットの記憶場所を示す任意的探索ビュー８２２；上記の通り、物理アセット関連ビュー８１６内の論理アセットのユーザ選択に応じて表示され、例えば選択された論理アセットと関連する物理アセット８１４とその選択された論理アセット８１２とをリストし、ファイルタイプ８０８とオンラインインジケータ８１０とを含む任意的第２の関連ビュー８０６；及び上記の通り、論理アセット関連ビュー８０６内または探索ビュー８２２内の物理アセットのユーザ選択に応じて表示され、例えばユーザが選択した論理アセットと関連する論理アセット８３２とそのユーザが選択した論理アセット８３０とをリストし、ファイルタイプ８２６とオンラインインジケータ８２８とを含む任意的第３の関連ビュー８２４。
【００３０】
言うまでもなく、ここで説明した実施形態は、例えば、方法やプロセス、装置、グラフィカルユーザインタフェースを用いたソフトウェアプログラムで実施できる。１つの形式の実施形態の場合で説明した（例えば、方法としてのみ説明した）場合であっても、説明した機能の実施形態は他の形式（例えば、装置やプログラム）でも実施できる。装置は例えば適切なハードウェア、ソフトウェア、及びファームウェアで実施可能である。上記の方法は、例えばプロセッサ等の装置で実施可能である。プロセッサとは、処理装置一般を指し、例えばコンピュータ、マイクロプロセッサ、集積回路、プログラマブル論理デバイスなどを指す。処理デバイスは、例えばコンピュータ、セルラー電話、ポータブル／パーソナル・デジタル・アシスタント（ＰＤＡ）、及びその他のコンピューティングデバイス等のデバイスも含む。
【００３１】
また、上記の方法は、プロセッサによって実行される命令で実施することができる。かかる命令は、例えば集積回路、ソフトウェア担体その他の記憶デバイス（例えば、ハードディスク、コンパクトディスク、ランダムアクセスメモリ（ＲＡＭ）、リードオンリーメモリ（ＲＯＭ））に記憶できる。上記の命令は、プロセッサ読み取り可能媒体上に化体されたアプリケーションプログラムであってもよい。
【００３２】
明らかに、プロセッサは、例えばプロセスを実行する命令を有するプロセッサ読み取り可能媒体を含んでいてもよい。当業者には言うまでもないが、実施形態は、例えば記憶または送信され得る情報を担うようフォーマットされた信号であってもよい。情報には、例えば、方法を実行する命令や、説明した実施形態により生成されるデータが含まれ得る。かかる信号は、（例えば、無線周波数のスペクトルを用いた）電磁波やベースバンド信号などとしてフォーマットし得る。フォーマット化には、例えば、データストリームの符号化、符号化ストリームのパケット化、パケット化ストリームによるキャリアの変調が含まれる。信号が担う情報は例えばアナログ情報やデジタル情報であってもよい。知られているように、信号は様々な異なる有線リンクまたは無線リンクで送信できる。
【００３３】
実施形態を説明した。しかし、言うまでもなく様々な修正を行うことができる。例えば、別の実施形態の要素を組み合わせ、補充し、修正し、または削除して、他の実施形態を形成することもできる。また、当業者には言うまでもないが、開示した構成やプロセスを他の構成やプロセスで置き換えてもよく、その結果の実施形態が少なくとも実質的に同じ機能を果たし、少なくとも実質的に同じように、開示した実施形態と実質的に同じ結果を達成する。したがって、これらの実施形態や他の実施形態も特許請求の範囲に入る。
【図１】
2010524120.tif 000003
【図２】
2010524120.tif 000004
【図３】
2010524120.tif 000005
【図４】
2010524120.tif 000006
【図５】
2010524120.tif 000007
【図６】
2010524120.tif 000008
【図７】
2010524120.tif 000009
【図８】
2010524120.tif 000010
【国際調査報告】
2010524120.tif 000011
2010524120.tif 000012
2010524120.tif 000013